(57)【要約】      （修正有）【課題】衝撃に強く装着が容易で且つ軟質素材で出来たアメリカンフットボールヘルメット用飛沫防止保護具を提供する。【解決手段】アメリカンフットボールヘルメット１０に着脱式にフェイスマスク１２の内側に取り付けることを可能にした飛沫防止保護具１１であって、周縁部に固定具貫入穴を有し、顔面被覆シート１３を軟質且つ伸縮性のあるＨ字型帯状固定具１４で係止できるものとした。飛沫防止保護具１１はその全てが軟質素材で構成されており、受傷の危険性が少なく安全であり且つその柔軟性により衝撃にも強い。また固定に使用されるＨ字型帯状固定具１４は、その形状と可撓性及び伸縮性により飛沫防止保護具１１を工具を必要とせず容易に取り付けることができる。【選択図】図１
0003231239.tif 000002
【実用新案登録請求の範囲】
【請求項１】
アメリカンフットボールヘルメット（１０）の顔面衝撃防護用格子型金具（フェイスマスク）（１２）に装着する軟質素材でできた飛沫を防止するための防護体である顔面被覆シート（１３）及び、それを固定するためのＨ字型帯状固定具（１４）で構成されることを特徴とする飛沫防止保護具（１１）。
【請求項２】
顔面被覆シート（１３）をアメリカンフットボールヘルメット（１１）の顔面衝撃防護用格子型金具（フェイスマスク）（１２）に固定する為、伸縮及び折り曲げ自在とする軟質素材で形成され、その両端に固定具貫入穴（２０）への係止の為の固定具Ｔ字型係止片（３０）を備えることを特徴とする、請求項１の飛沫防止保護具（１１）固定の為に供されるＨ字型帯状固定具（１４）。
【請求項３】
請求項２のＨ字型帯状固定具（１４）の一端を固定具貫入穴（２０）に貫入させたのち、Ｈ字型帯状固定具係止片（３０）を係止させ、アメリカンフットボールヘルメット（１１）のフェイスマスク（１２）の軸部分に巻き付けたのち、既に係止させた反対側の固定具Ｔ字型係止片（３０）を同じ固定具貫入穴（２０）にできた隙間より再度貫入後、固定具Ｔ字型係止片（３０）を係止させることにより固定する請求項１の飛沫防止保護具（１１）。
【考案の詳細な説明】
【技術分野】
【０００１】  本考案は、アメリカンフットボールヘルメット（１０）に取り付けることができる着脱式の飛沫防止保護具（１１）に関するものである。
【背景技術】
【０００２】  アメリカンフットボールは身体接触の多い競技であり、頭部ヘルメットを含め全身に防護具を装備して行う競技である。そのアメリカンフットボールヘルメット（１０）には接触衝撃に耐えうる堅固なフェイスマスク（１２）を装備しているが、感染防止の観点からの飛沫防止保護具はこれまでに少なく、そのフェイスマスク（１２）に装着できる製品が、近年の感染対策として開発または販売されるようになってきている（非特許文献１〜３を参照）。しかしながら、競技の性質上激しい物理的接触を想定し、飛沫防止保護具をフェイスマスク（１２）に装着させるために必要な担持力保持や衝撃に耐えることが容易ではないと想定されるため、先行製品には頑丈なポリカーボネイト樹脂などの硬質素材が利用されている。先行製品には硬質素材で作られた防護体シートをプラスチック製の固定具を工具を使い硬質素材のボルト及びナットで止めるもの（非特許文献２及び３を参照）や、防護体は軟質素材ではあるが、取りつけに面ファスナーを数回巻き付けるなどして対応しているものなどがある（非特許文献１を参照）。先行技術の参考として、他分野の製品においても、シート状保護体を担持するためプラスチック製のクリップなど使われている（特許文献１を参照）。またシート固定技術として、軟質素材を使用した技術は存在するが、激しい衝撃が発生するスポーツでは、その材質及び形状に耐久性の疑問が残る（特許文献２を参照）。前述のアメリカンフットボール用飛沫防止保護具に硬質またはそれに準ずる素材を使用した場合、競技中身体接触の際に、素材の加工断面による切傷や面ファスナーのフック面による擦傷など受傷の危険性が考えられる。軟質素材で担持力を有した固定具が考案されていないため、全て軟質素材で構成されたアメリカンフットボール用飛沫防止保護具は存在しない（非特許文献４を参照）。
【先行技術文献】
【特許文献】
【０００３】
【特許文献１】特開２０１４‐１５２４３２公報
【特許文献２】特許４５８１３９８公報
【非特許文献】
【０００４】
【非特許文献１】Ｓｐｌａｓｈ  Ｓｈｉｅｌｄ  ｜  Ｓｃｈｕｔｔ  Ｓｔｏｒｅ．［ｏｎｌｉｎｅ］．Ｓｃｈｕｔｔ  Ｓｐｏｒｔｓ，２０２０．（ｒｅｔｒｉｅｖｅｄ  ｏｎ  ２０２０―０９―０１）．Ｒｅｔｒｉｅｖｅｄ  ｆｒｏｍ  ｔｈｅ  Ｉｎｔｅｒｎｅｔ：＜ＵＲＬ：ｈｔｔｐｓ：／／ｗｗｗ．ｓｃｈｕｔｔｓｐｏｒｔｓ．ｃｏｍ／ｓｐｌａｓｈ―ｓｈｉｅｌｄ．ｈｔｍｌ＞．
【非特許文献２】ＱＢ  ＣＬＵＢ  オリジナルスピットシールド（飛沫感染防止用）［オンライン］．株式会社キュービィクラブ，令和２年．［令和２年９月１日検索］．［ＵＲＬ：ｈｔｔｐ：／／ｗｗｗ．ｑｂｃｌｕｂｓｔｏｒｅ．ｃｏｍ／ｆｓ／ｑｂｃｌｕｂ／ｍｏｕｔｈｓｈｉｅｌｄ／ＱＢｓｈｉｅｌｄＡ＞．
【非特許文献３】澁谷正明ほか４名，“マウスシールドのテスト開始”，［オンライン］，第一フォーム株式会社，令和２年７月２７日，［令和２年９月１日検索］．＜ＵＲＬ：ｈｔｔｐ：／／ｗｗｗ．ｄａｉｉｃｈｉ―ｆｏａｍ．ｃｏ．ｊｐ／ａｒｃｈｉｖｅｓ／１１５３＞．
【非特許文献４】“新型コロナウイルス感染症に対する飛沫防止のためのシールドの仕様について”，［オンライン］，公益社団法人日本アメリカンフットボール協会，令和２年８月１２日，［令和２年９月１日検索］．＜ＵＲＬ：ｈｔｔｐｓ：／／ａｍｅｒｉｃａｎｆｏｏｔｂａｌｌ．ｊｐ／ａｒｃｈｉｖｅｓ／４４４０＞．
【考案の概要】
【考案が解決しようとする課題】
【０００５】  アメリカンフットボールでは、競技中に受傷しないための措置が必要なため、アメリカンフットボールヘルメット（１０）のフェイスマスク（１２）に工具等の必要がなく、簡単に着脱でき、且つ安全性の面から材質すべてが軟質素材で構成される飛沫防止保護具（１１）を提供することにより、前述の欠点を解決しようとするものである。
【課題を解決するための手段】
【０００６】  本考案はアメリカンフットボールヘルメット（１０）の飛沫防止保護具（１１）において、アメリカンフットボールヘルメット（１０）の着用者の鼻口部前面を覆うための顔面被覆シート（１３）はその周縁部にフェイスマスク（１２）に固定するに足りる担持力を保持した必要な間隔で、Ｈ字型帯状固定具（１４）を係止するための固定具貫入穴（２０）を備え、固定具貫入穴（２０）を利用し、Ｈ字型帯状固定具（１４）を介し顔面被覆シート（１３）をフェイスマスク（１２）内側に装着すること可能にした。供される顔面被覆シート（１３）は視認性の高い軟質の透明素材を採用し、また顔面被覆シート（１３）を担持するＨ字型帯状固定具（１４）は、衝撃時の振動吸収及び装着時の微調整を可能にするため、可撓性及び伸縮性がある軟質素材を採用する、これにより身体接触の際の受傷の危険性がなく、フェイスマスク部分（１２）の内側への装着が柔軟に対応することができ、同時に工具の必要がなく容易に取り付けが可能になり、前述の問題点を解決することが出来る。
【考案の効果】
【０００７】  本考案によって、アメリカンフットボールヘルメット（１０）に軟質素材ですべて構成され、競技中身体接触時受傷の可能性が減少し、安全で且つ、工具の必要なく、簡単に取り付けることができる着脱式の飛沫防止保護具（１１）を提供することにより可能となる。
【図面の簡単な説明】
【０００８】
【図１】本考案の飛沫防止保護具（１１）をアメリカンフットボールヘルメット（１０）のフェイスマスク（１２）に装着した状態を示した斜視図である。
【図２】本考案の飛沫防止保護具（１１）の顔面被覆シート（１３）を示した図である。
【図３】本考案の顔面被覆シート（１３）を固定するＨ字型帯状固定具（１４）の正面と側面を示した図である。
【図４】本考案の顔面被覆シート（１３）及びＨ字型帯状固定具（１４）の取り付け方法を示した摸式図である。
【図５】本考案の顔面被覆シート（１３）にＨ字型帯状固定具（１４）を装着した時の正面を示した図及びその断面を示した摸式図である。
【考案を実施するための形態】
【０００９】  以下、本考案の飛沫防止保護具（１１）の好適な実施態様について、図面を用いて、より具体的に説明する。図１は、本考案の飛沫防止保護具（１１）をアメリカンフットボールヘルメット（１０）のフェイスマスク（１２）に取り付けた状態を示した斜視図である。図２は、本考案の飛沫防止保護具（１１）を示した図である。本考案の飛沫防止保護具（１１）は、図１に示すように、アメリカンフットボールヘルメット（１０）のフェイスマスク（１２）の下部内側に装着した状態で取り付けることが可能な着脱式のものとなっている。
【００１０】  顔面被覆シート（１３）は、図１に示すように、アメリカンフットボールヘルメット（１０）の着用者の鼻口部前面を覆うためのものであり、軟質素材のシートで形成されている。顔面被覆シート（１３）は競技上、マウスピース等の装着視認可能な構造である必要がある為、透明素材が好ましい。また、アメリカンフットボールヘルメット（１０）のフェイスマスク（１２）の形状が多種であり、装着の際、柔軟に対応できる形状が好ましい。
【００１１】  顔面被覆シート（１３）の材質は、必要な可撓性と強度を有するものであれば特に限定されない。極端な例を挙げれば、フェンシングの防護面などに採用される金属線材からなるメッシュシートを用いることもできる。しかし、飛沫防止保護具（１１）の軽量化や低コスト化などを考慮すると、軟質塩化ビニルシートが好適である。本実施態様の飛沫防止保護具（１１）においては、代表材質として軟質塩化ビニルシートを顔面被覆シート（１３）として用いている。
【００１２】  本実施態様の飛沫防止保護具（１１）においては、図２に示すように、顔面被覆シート（１３）の周縁に沿って固定具貫入穴（２０）を装着に必要な担持力に応じて複数箇所備えている。これにより、顔面被覆シート（１３）の周縁部にバランスよく担持力を維持し競技中の飛沫防止具の脱落をしにくくすることが可能になる。
【００１３】  図３はＨ字型帯状固定具（１４）の形状を示したものである。Ｈ字型帯状固定具（１４）はその両端に固定具Ｔ字型係止片（３０）を有しその両端が固定具貫入穴（２０）に貫入し固定具Ｔ字型係止片（３０）が穴に係止することにより軟質素材であっても装着に必要な担持力を生み出す形状となっている。Ｈ字型帯状固定具（１４）の素材は、振動吸収や伸縮可能な可撓性を有するのであれば特に限定されない。Ｈ字型帯状固定具（１４）の素材としては、伸縮性を有するシリコーンゴムや合成ゴムなど、弾性復元変形可能な素材であれば採用することができる。本実施態様の飛沫防止保護具（１１）においては、衝撃強度の面からシリコーンゴムで形成される両端に係止片を有するＨ字型帯状固定具（１４）を採用している。
【００１４】  図４はＨ字型帯状固定具（１４）を顔面被覆シート（１３）の周縁部に配置されている複数個の固定具貫入穴（２０）に取り付ける方法をイ・ロ・ハ・二の順に説明した摸式図である。この図４では、取り付け実施態様が容易に分かるようにＨ字型帯状固定具（１４）を表が黒、裏が白と示している。Ｈ字型帯状固定具（１４）を固定具貫入穴（２０）に貫入後引き抜き係止させ、フェイスマスク（１２）に巻き付け、同じ固定具貫入穴（２０）の隙間に押し込み再度貫入させ係止させることにより顔面被覆シート（１３）をフェイスマスク（１２）に固定することが可能になる。
【００１５】  図５は、本考案の飛沫防止保護具（１１）における顔面被覆シート（１３）の周縁部をＨ字型帯状固定具（１４）を固定した状態を示した摸式図、及びそれをＸ０−Ｘ１面で切断した状態を示した断面摸式図である。Ｈ字型帯状固定具（１４）の固定具Ｔ字型係止片（３０）の一端が別の一端の固定具Ｔ字型係止片（３０）を押さえる状態になることにより、横方向に引っ張る力が作用した際、引っ張る力がＨ字型帯状固定具（１４）を抑え込む力に変化するため、固定具Ｔ字型係止片（３０）に強い担持力が発生する。これにより衝撃等に強い軟質素材の固定具としての役割が担える構造となっている。
【００１６】  本実施態様の飛沫防止保護具（１１）は、図１に示すようにＨ字型帯状固定具（１４）を介して顔面被覆シート（１３）をフェイスマスク（１２）内側に取り付けることにより、Ｈ字型帯状固定具（１４）が保有する伸縮性によって、最適な位置に微調整することが可能になる。
【００１７】  最後に、アメリカンフットボールヘルメット（１０）に対する飛沫防止保護具（１１）の取付方法について説明する。本考案の飛沫防止保護具（１１）は、図１に示すように、顔面被覆シート（１３）周縁部に備えられた固定具貫入穴（２０）にＨ字型帯状固定具（１４）の固定具Ｔ字型係止片を係止させ、それぞれ相対するフェイスマスク（１２）の軸部分に巻き付け装着する。Ｈ字型帯状固定具（１４）を係止させる順番は、特に限定されないが、まず上端部から係止させ側端部、続いて下端部と係止させると好ましい。Ｈ字型帯状固定具（１４）の形状と可撓性及び伸縮性により、最適位置に飛沫防止保護具（１１）容易に取り付けることが可能である。
【符号の説明】
【００１８】  １０  アメリカンフットボールヘルメット
１１  飛沫防止保護具
１２  顔面衝撃防護用格子型金具（フェイスマスク）
１３  顔面被覆シート
１４  Ｈ字型帯状固定具
２０  固定具貫入穴
３０  固定具Ｔ字型係止片
【図１】
0003231239.tif 000003
【図２】
0003231239.tif 000004
【図３】
0003231239.tif 000005
【図４】
0003231239.tif 000006
【図５】
0003231239.tif 000007
【手続補正書】
【提出日】令和2年12月17日(2020.12.17)
【手続補正１】
【補正対象書類名】実用新案登録請求の範囲
【補正対象項目名】請求項２
【補正方法】変更
【補正の内容】
【請求項２】
顔面被覆シート（１３）をアメリカンフットボールヘルメット（１０）の顔面衝撃防護用格子型金具（フェイスマスク）（１２）に固定する為、伸縮及び折り曲げ自在とする軟質素材で形成され、その両端に固定具貫入穴（２０）への係止の為の固定具Ｔ字型係止片（３０）を備えることを特徴とする、請求項１の飛沫防止保護具（１１）固定の為に供されるＨ字型帯状固定具（１４）。
【手続補正２】
【補正対象書類名】実用新案登録請求の範囲
【補正対象項目名】請求項３
【補正方法】変更
【補正の内容】
【請求項３】
請求項２のＨ字型帯状固定具（１４）の一端を固定具貫入穴（２０）に貫入させたのち、固定具Ｔ字型係止片（３０）を係止させ、アメリカンフットボールヘルメット（１０）のフェイスマスク（１２）の軸部分に巻き付けたのち、既に係止させた反対側の固定具Ｔ字型係止片（３０）を同じ固定具貫入穴（２０）にできた隙間より再度貫入後、固定具Ｔ字型係止片（３０）を係止させることにより固定する請求項１の飛沫防止保護具（１１）。